(57)【要約】【課題】  リモートコントローラからの信号を待っている待機状態で、電子機器をより低消費電力化する。【解決手段】  フォトダイオード２２は、リモートコントローラ１０から信号を受信し、信号に基づいた電流を発生する。マイクロコントローラ制御チップ２３は、フォトダイオード２２が発生した電流に基づいて信号のヘッダー部分をデコード処理回路によって認識し、電源遮断されたマイクロコントローラ２４を起動するための起動信号を出力する。マイクロコントローラ２４は、起動信号に基づいて電源遮断された状態から起動する。【選択図】  図１
2008160627.tif 000002
【特許請求の範囲】
【請求項１】
リモートコントローラから信号を受信する電子機器において、
前記リモートコントローラから前記信号を受信し、前記信号に基づいた電流を発生する電流発生素子と、
前記電流発生素子が発生した電流に基づいて前記信号の一部分をデコード処理回路によって認識し、電源遮断されたマイクロコントローラを起動するための起動信号を出力するマイクロコントローラ制御チップと、
前記起動信号に基づいて電源遮断された状態から起動する前記マイクロコントローラと、
を備えていることを特徴とする電子機器。
【請求項２】
前記マイクロコントローラ制御チップは、前記信号のヘッダー部分を前記デコード処理回路によって認識することを特徴とする請求項１記載の電子機器。
【請求項３】
前記電流発生素子は、フォトダイオードまたはフォトトランジスタであることを特徴とする請求項１記載の電子機器。
【請求項４】
リモートコントローラから信号を受信する電子機器に搭載される半導体装置において、
前記リモートコントローラから前記信号を受信して前記信号に基づいた電流を発生する電流発生素子が発生した電流に基づき、前記信号の一部分をデコード処理回路によって認識する信号認識手段と、
認識した後、電源遮断されたマイクロコントローラを起動するための起動信号を出力する起動信号出力手段と、
を備えていることを特徴とする半導体装置。
【発明の詳細な説明】
【技術分野】
【０００１】
本発明は、リモートコントローラから信号を受信する電子機器、及び、その電子機器に搭載される半導体装置に関する。
【背景技術】
【０００２】
現在、テレビジョン装置やオーディオ装置等の電子機器には、通常、その電子機器を遠隔操作することができるリモートコントローラが付属している。図２は、従来の電子機器の概略を示す図である。
【０００３】
リモートコントローラ３０から信号を受信する電子機器４０は、装置を制御するマイクロコントローラ４３を備えている。
【０００４】
リモートコントローラ３０からの信号を待っていてマイクロコントローラ４３が低消費電力モードになっている待機状態の電子機器４０が、リモートコントローラ３０から信号を受信すると、マイクロコントローラ４３が、信号をデコード処理する。すると、マイクロコントローラ４３は低消費電力モードから通常起動モードになり、電子機器４０は待機状態でなくなって通常起動状態になる。
【０００５】
このようにすると、待機状態の電子機器４０の消費電力が低くなる。
【０００６】
なお、電子機器の消費電力を低くするため、低消費電力で動作する回路ブロックをマイクロコントローラとは別に用意する技術が提案されている（例えば、特許文献１参照）。この提案では、この回路が時間をカウントし、所定時間が経過すると、マイクロコントローラが電源遮断された状態から起動するようになっている。
【特許文献１】特開２００３−０８４８７１号公報
【発明の開示】
【発明が解決しようとする課題】
【０００７】
しかし、従来の技術では、マイクロコントローラ４３は、いつ受信するか分からない信号をデコード処理するので、信号をいつでも受信できるよう電力を消費しながら常に待機することになる。よって、マイクロコントローラ４３は完全に電源遮断されないので、その分、電子機器４０は電力を消費することになってしまう。
【０００８】
本発明は、上記課題に鑑みてなされ、リモートコントローラからの信号を待っている待機状態でより低消費電力化した電子機器を提供する。
【課題を解決するための手段】
【０００９】
本発明は、上記課題を解決するため、リモートコントローラから信号を受信する電子機器において、前記リモートコントローラから前記信号を受信し、前記信号に基づいた電流を発生する電流発生素子と、前記電流発生素子が発生した電流に基づいて前記信号の一部分をデコード処理回路によって認識し、電源遮断されたマイクロコントローラを起動するための起動信号を出力するマイクロコントローラ制御チップと、前記起動信号に基づいて電源遮断された状態から起動する前記マイクロコントローラと、を備えていることを特徴とする電子機器を提供する。
【００１０】
また、本発明は、リモートコントローラから信号を受信する電子機器に搭載される半導体装置において、前記リモートコントローラから前記信号を受信して前記信号に基づいた電流を発生する電流発生素子が発生した電流に基づき、前記信号の一部分をデコード処理回路によって認識する信号認識手段と、認識した後、電源遮断されたマイクロコントローラを起動するための起動信号を出力する起動信号出力手段と、を備えていることを特徴とする半導体装置を提供する。
【発明の効果】
【００１１】
本発明では、電子機器がリモートコントローラから信号を受信した時、マイクロコントローラが電源遮断された状態から起動するので、電子機器が待機状態であってリモートコントローラから信号を受信していない時、マイクロコントローラは電源遮断されている。よって、待機状態の電子機器は低消費電力化する。
【発明を実施するための最良の形態】
【００１２】
以下、本発明の実施の形態を、図面を参照して詳細に説明する。
【００１３】
まず、電子機器の構成について説明する。図１は、電子機器を示す図である。
【００１４】
リモートコントローラ１０は、発光ダイオード１１を備え、テレビジョン装置やオーディオ装置等の電子機器２０と無線通信することができる。電子機器２０は、発光ダイオード１１を用いたリモートコントローラ１０と無線通信するためのフォトダイオード２２、装置を制御するマイクロコントローラ２４、及び、マイクロコントローラ２４を制御するマイクロコントローラ制御チップ２３を備えている。このマイクロコントローラ２４は、マイクロコントローラ制御チップ２３を介してフォトダイオード２２に接続され、さらに、フォトダイオード２２に直接接続されている。また、マイクロコントローラ制御チップ２３及びマイクロコントローラ２４は、リモートコントローラ１０からの信号を認識するデコード処理回路（図示せず）をそれぞれ備えている。
【００１５】
ここで、マイクロコントローラ制御チップ２３は、フォトダイオード２２が発生した電流に基づき、リモートコントローラ１０からの信号の一部分を認識するデコード処理回路（信号認識手段）、及び、認識した後、電源遮断されたマイクロコントローラ２４を起動するための起動信号を出力する起動信号出力手段（図示せず）を備えている。
【００１６】
次に、リモートコントローラ１０によって遠隔操作されて電子機器２０が電源遮断された状態から起動する時の動作について説明する。
【００１７】
待機状態の電子機器２０は、リモートコントローラ１０からの信号を待っていて、マイクロコントローラ２４が電源遮断されているとする。その後、この電子機器２０が、リモートコントローラ１０の発光ダイオード１１から信号を受信し、フォトダイオード２２が、信号に基づいた電流を発生する。その電流に基づき、マイクロコントローラ制御チップ２３は、信号のヘッダー部分をデコード処理回路によって認識すると、電源遮断されたマイクロコントローラ２４を起動するための起動信号を出力する。例えば起動信号がマイクロコントローラ２４に電源供給するチップを動作させることにより、マイクロコントローラ２４は電源遮断された状態から起動し、電子機器２０は待機状態でなくなって通常起動状態になる。起動したマイクロコントローラ２０がリモートコントローラ１０からの信号におけるヘッダー部分以外の部分をデコード処理回路によってデコード処理することにより、電子機器２０はリモートコントローラ１０からの信号を完全にデコード処理することになる。
【００１８】
このようにすると、電子機器２０がリモートコントローラ１０から信号を受信した時、マイクロコントローラ２０が電源遮断された状態から起動するので、電子機器２０が待機状態であってリモートコントローラ１０から信号を受信していない時、マイクロコントローラ２０は電源遮断されている。よって、待機状態の電子機器２０は低消費電力化する。
【００１９】
また、マイクロコントローラ制御チップ２３のデコード処理回路は、リモートコントローラ１０からの信号を完全にデコード処理せずにリモートコントローラ１０からの信号のヘッダー部分のみを認識するので、簡素な回路になる。よって、マイクロコントローラ制御チップ２３の回路規模は小さくなり、マイクロコントローラ制御チップ２３は低消費電力で動作することができる。
【００２０】
なお、マイクロコントローラ制御チップ２３は、リアルタイムにクロック信号を供給するリアルクロックタイム回路（図示せず）を備えているので、常に動作している。
【００２１】
また、マイクロコントローラ制御チップ２３は、リモートコントローラ１０からの信号におけるヘッダー部分を認識しているが、他の所定の部分を認識するようにしてもよい。
【００２２】
また、電子機器２０は、フォトダイオード２２を搭載しているが、光エネルギを電気エネルギに変換するフォトトランジスタを搭載してもよい。
【図面の簡単な説明】
【００２３】
【図１】電子機器の概略を示す図である。
【図２】従来の電子機器の概略を示す図である。
【符号の説明】
【００２４】
１０  リモートコントローラ
１１  発光ダイオード
２０  電子機器
２２  フォトダイオード
２３  マイクロコントローラ制御チップ
２４  マイクロコントローラ
【図１】
2008160627.tif 000003
【図２】
2008160627.tif 000004